(57)【要約】【課題】車両のシート下部スペースにおけるワイヤハーネスの配索自由度を高めて、ワイヤハーネスや電子回路機器の後付にも容易に対応することのできる電装部品装着板を提供すること。【解決手段】車両のシート下部スペースに取り付けられる板状構造の電装部品装着板１において、部品装着部として、装着板上面１ａに形成される上面部ハーネス装着部１１と、装着板下面１ｂに形成される下面部ハーネス装着部１４と、上面部ハーネス装着部１１に配索されたワイヤハーネス２１，２２を下面部ハーネス装着部１４に引き込み可能に装着板上面１ａ側と装着板下面側１ｂとを連絡させる連絡通路部１５と、を備え、連絡通路部１５は外周の一側を開放した溝状に形成する。【選択図】図２
2012224268.tif 000002
【特許請求の範囲】
【請求項１】
樹脂成形により所定の板状構造に形成されると共に、電装部品が組み付けられる部品装着部が形成され、車両のシート下部スペースに取り付けられる電装部品装着板であって、
前記部品装着部として、１又は複数の上面部ハーネス装着部と、１又は複数の下面部ハーネス装着部と、連絡通路部と、を備え、
前記１又は複数の上面部ハーネス装着部は、ワイヤハーネスを所定の配索形状に位置決め可能に、前記シート下部スペースに取り付けた状態でシート下面に対向する装着板上面に形成され、
前記１又は複数の下面部ハーネス装着部は、ワイヤハーネスを所定の配索形状に位置決め可能に、前記シート下部スペースに取り付けた状態で車両の床側に露出状態となる装着板下面に形成され、
前記連絡通路部は、前記上面部ハーネス装着部に配索されたワイヤハーネスを前記下面部ハーネス装着部に引き込み可能に装着板上面側と装着板下面側とを連絡させる通路で、外周の一側を開放した溝状に形成されていることを特徴とする電装部品装着板。
【請求項２】
前記連絡通路部は、溝の開放部が装着板の板厚方向と直交する方向に臨む形状に形成することで、ワイヤハーネスが下方に垂れることを防止する載置壁部が備えられていることを特徴とする請求項１に記載の電装部品装着板。
【発明の詳細な説明】
【技術分野】
【０００１】
本発明は、樹脂成形により所定の板状構造に形成されると共に電装部品が組み付けられる部品装着部が備えられ、車両のシート下部スペースに取り付けられる電装部品装着板に関する。
【背景技術】
【０００２】
図９及び図１０は、従来の電装部品装着板１００を示したものである。
この電装部品装着板１００は、下記特許文献１に開示されたものである。この電装部品装着板１００は、樹脂成形により所定の板状構造に形成された樹脂成形体である。この電装部品装着板１００は、その片面である装着板上面１０１に、図１０に示すように、部品装着部１１０が備えられる。
【０００３】
部品装着部１１０は、電装部品１２０が組み付けられる部位である。部品装着部１１０に組み付けられる電装部品１２０には、例えば、ワイヤハーネス１２１や、ワイヤハーネス１２１と接続される電子回路機器１２２などが該当する。
【０００４】
図示例の場合、部品装着部１１０として、ワイヤハーネス１２１を配索するハーネス配索部１１１と、電子回路機器１２２を配置する機器配置部１１２とを備えている。機器配置部１１２は、上方を開放した箱型構造で、開口部が着脱可能なカバー１１３により覆われる。
【０００５】
従来の電装部品装着板１００は、図９に示すように、部品装着部１１０が備えられた面を上に向けて、車両のシート下部スペース１３０に取り付けられる。シート下部スペース１３０は、車両のシート骨格１４０の下方に確保される空間である。
【０００６】
言い換えると、従来の電装部品装着板１００は、電装部品１２０を組み付けた装着板上面１０１が、車両のシート下面と対向するように、シート下部スペース１３０に取り付けられる。
【先行技術文献】
【特許文献】
【０００７】
【特許文献１】特開２０１０−３６６６７号公報
【発明の概要】
【発明が解決しようとする課題】
【０００８】
特許文献１に開示された電装部品装着板１００は、通常、電装部品１２０の組み付けを完了させた後、シート下部スペース１３０に取り付けられる。
【０００９】
ところで、車載の電装部品には、例えばオプション装備等で、電装部品装着板１００の取り付け工程が完了した後、後付で電装部品装着板１００への組み付けが必要となる後付電装部品が存在する場合がある。
【００１０】
しかし、従来の電装部品装着板１００の場合は、電装部品１２０の組み付けを行う部品装着部１１０が車両のシート下面に対向する装着板上面１０１にのみ装備された構成である。従って、部品装着部１１０に配索されたワイヤハーネス１２１は、車両のシート下面によって覆われて隠れてしまう。その結果、後付でワイヤハーネス１２１に接続する電子回路機器１２２が発生した場合に、電子回路機器１２２の接続が難しいという問題が生じた。また、装着板上面１０１に配索済のワイヤハーネス１２１に分岐接続する後付ワイヤハーネスが発生した場合も、後付ワイヤハーネスの接続が難しいという問題が発生する。
【００１１】
このような問題は、ワイヤハーネス１２１の配索部位が装着板上面１０１のみに限定されていることによるワイヤハーネスの配索自由度の低さに起因している。
【００１２】
そこで、本発明の目的は、上記課題を解消することに係り、車両のシート下部スペースにおけるワイヤハーネスの配索自由度を高めて、ワイヤハーネスや電子回路機器の後付にも容易に対応することのできる電装部品装着板を提供することにある。
【課題を解決するための手段】
【００１３】
本発明の前述した目的は、下記の構成により達成される。
（１）樹脂成形により所定の板状構造に形成されると共に、電装部品が組み付けられる部品装着部が形成され、車両のシート下部スペースに取り付けられる電装部品装着板であって、
前記部品装着部として、１又は複数の上面部ハーネス装着部と、１又は複数の下面部ハーネス装着部と、連絡通路部と、を備え、
前記１又は複数の上面部ハーネス装着部は、ワイヤハーネスを所定の配索形状に位置決め可能に、前記シート下部スペースに取り付けた状態でシート下面に対向する装着板上面に形成され、
前記１又は複数の下面部ハーネス装着部は、ワイヤハーネスを所定の配索形状に位置決め可能に、前記シート下部スペースに取り付けた状態で車両の床側に露出状態となる装着板下面に形成され、
前記連絡通路部は、前記上面部ハーネス装着部に配索されたワイヤハーネスを前記下面部ハーネス装着部に引き込み可能に装着板上面側と装着板下面側とを連絡させる通路で、外周の一側を開放した溝状に形成されていることを特徴とする電装部品装着板。
【００１４】
（２）前記連絡通路部は、溝の開放部が装着板の板厚方向と直交する方向に臨む形状に形成することで、ワイヤハーネスが下方に垂れることを防止する載置壁部が備えられていることを特徴とする上記（１）に記載の電装部品装着板。
【００１５】
上記（１）の構成によれば、部品装着部として、装着板上面に形成される上面部ハーネス装着部と、装着板下面に形成される下面部ハーネス装着部とを備え、更に、上面部ハーネス装着部に配索されたワイヤハーネスを下面部ハーネス装着部に引き込み可能に装着板上面側と装着板下面側とを連絡させる連絡通路部を有している。
【００１６】
従って、装着板上面の上面部ハーネス装着部に配索したワイヤハーネスは、その一部を、連絡通路部を介して、装着板下面の下面部ハーネス装着部に引き出しておくことができ、車両のシート下部スペースにおけるワイヤハーネスの配索自由度を高めることができる。
【００１７】
そして、下面部ハーネス装着部に引き出されたワイヤハーネスは、シート下面によって覆われていないため、後付で他のワイヤハーネスや電子回路機器を接続することが容易になる。従って、上面部ハーネス装着部に配索されるワイヤハーネスの内、他のワイヤハーネスや電子回路機器が後付される可能性を有するワイヤハーネス端部は、予め、そのワイヤハーネス端部を下面部ハーネス装着部に引き出した配索形態としておくことで、ワイヤハーネスや電子回路機器の後付にも容易に対応することができる。
【００１８】
また、連絡通路部は、外周の一側を開放した溝状で、開放部からワイヤハーネスを割り込ませることで、簡単に連絡通路部にワイヤハーネスを挿通した状態にすることができる。従って、上面部ハーネス装着部から下面部ハーネス装着部へのワイヤハーネスの引き込み作業を容易にすることができる。
【００１９】
上記（２）の構成によれば、連絡通路部は、例えば断面コ字形状、又はＵ字形状に形成され、挿通するワイヤハーネスが下方に垂れることを防止する載置壁部を有しているため、連絡通路部に挿通されたワイヤハーネスが下方に垂れることがない。即ち、ワイヤハーネスが下方に垂れて、車両の床面等に設置されたシートスライド機構等のシート下の可動部にワイヤハーネスが接触することを防止することができ、ワイヤハーネスに対する保護性能を向上させることができる。
【発明の効果】
【００２０】
本発明による電装部品装着板によれば、装着板上面の上面部ハーネス装着部に配索したワイヤハーネスは、その一部を、連絡通路部を介して、装着板下面の下面部ハーネス装着部に引き出しておくことができ、車両のシート下部スペースにおけるワイヤハーネスの配索自由度を高めることができる。
【００２１】
そして、下面部ハーネス装着部に引き出されたワイヤハーネスは、シート下面によって覆われていないため、後付でワイヤハーネスや電子回路機器を接続することが容易になる。
【００２２】
従って、上面部ハーネス装着部に配索されるワイヤハーネスの内、ワイヤハーネスや電子回路機器が後付される可能性を有するワイヤハーネス端部は、予め、そのワイヤハーネス端部を下面部ハーネス装着部に引き出した配索形態としておくことで、ワイヤハーネスや電子回路機器の後付にも容易に対応することができる。
【００２３】
また、連絡通路部は、外周の一側を開放した溝状で、開放部からワイヤハーネスを割り込ませることで、簡単に連絡通路部にワイヤハーネスを挿通した状態にすることができる。従って、上面部ハーネス装着部から下面部ハーネス装着部へのワイヤハーネスの引き込み作業を容易にすることができる。
【図面の簡単な説明】
【００２４】
【図１】本発明に係る電装部品装着板の一実施形態のシート下部スペースへの配置を示す斜視図である。
【図２】図１に示した電装部品装着板の拡大斜視図である。
【図３】図２に示した電装部品装着板上の上面部ハーネス装着部へ配索される複数のワイヤハーネスの配索形状を示す斜視図である。
【図４】図３に示した複数のワイヤハーネスが上面部ハーネス装着部へ配置された状態の斜視図である。
【図５】上面部ハーネス装着部へ配置されたワイヤハーネスが、上面部ハーネス装着部に装備されたハーネス固定手段で固定された状態の斜視図である。
【図６】図５に示したハーネス固定手段の拡大図である。
【図７】上面部ハーネス装着部へ配置されたワイヤハーネスの一部を、連絡通路部を介して下面部ハーネス装着部に引き出す工程の説明図である。
【図８】図７に示した連絡通路部の構造を示す拡大斜視図である。
【図９】従来の電装部品装着板の配置状態を示す斜視図である。
【図１０】図９に示した電装部品装着板の拡大斜視図である。
【発明を実施するための形態】
【００２５】
以下、本発明に係る電装部品装着板の好適な実施形態について、図面を参照して詳細に説明する。
【００２６】
図１〜図８は本発明に係る電装部品装着板の一実施形態を示したもので、図１は一実施形態の電装部品装着板のシート下部スペースへの配置を示す斜視図、図２は図１に示した電装部品装着板の拡大斜視図、図３は図２に示した電装部品装着板上の上面部ハーネス装着部へ配索される複数のワイヤハーネスの配索形状を示す斜視図、図４は図３に示した複数のワイヤハーネスが上面部ハーネス装着部へ配置された状態の斜視図、図５は上面部ハーネス装着部へ配置されたワイヤハーネスが、上面部ハーネス装着部に装備されたハーネス固定手段で固定された状態の斜視図である。また、図６は図５に示したハーネス固定手段の拡大図、図７は上面部ハーネス装着部へ配置されたワイヤハーネスの一部を、連絡通路部を介して下面部ハーネス装着部に引き出す工程の説明図、図８は図７に示した連絡通路部の構造を示す拡大斜視図である。
【００２７】
この一実施形態の電装部品装着板１は、樹脂成形により所定の板状構造に形成される。また、電装部品装着板１は、電装部品２０が組み付けられる部品装着部１０が形成されていて、車両のシート下部スペース３０に取り付けられる。
【００２８】
シート下部スペース３０は、図１に示したように、車両のシート（不図示）の骨格構造物であるシート骨格４０の下方に確保される空間である。
【００２９】
電装部品２０としては、図３に示す複数のワイヤハーネス２１，２２，２３や、これらのワイヤハーネス２２，２３と接続される回路基板などの電子回路機器２５，２６，２７などが該当する。
【００３０】
ワイヤハーネス２１，２２，２３は、例えば、車両に標準装備のワイヤハーネスで、電装部品装着板１をシート下部スペース３０に取り付ける前に部品装着部１０に組み付けられる。
【００３１】
本実施形態において、部品装着部１０は、電装部品２０が組み付けられる電装部品装着板１上の部位である。本実施形態の場合、電装部品装着板１には、図２及び図３に示すように、部品装着部１０として、複数の上面部ハーネス装着部１１と、複数の上面部機器装着部１２と、下面部ハーネス装着部１４と、連絡通路部１５と、を備える。
【００３２】
複数の上面部ハーネス装着部１１は、図３に示した複数のワイヤハーネス２１，２２，２３を所定の配索形状に位置決め可能に、装着板上面１ａに形成される載置面である。装着板上面１ａは、電装部品装着板１をシート下部スペースに取り付けた状態で、シート下面に対向する電装部品装着板１の上面である。
【００３３】
各上面部ハーネス装着部１１では、配索されたワイヤハーネスを、位置決め用突起対５１と結束バンド５２とで、所定の配索形状に位置決め固定する。位置決め用突起対５１は、図３及び図４に示すようにワイヤハーネスを径方向に挟む一対の突起５１ａ，５１ｂから構成されており、配索されたワイヤハーネスを挟持してワイヤハーネスの移動を規制する。
【００３４】
結束バンド５２は、図５及び図６に示すように、ワイヤハーネス２１，２２，２３の外周に巻き付け可能なバンド本体５２ａと、このバンド本体５２ａの基端に一体形成されたバンド係止部５２ｂとを備える。バンド係止部５２ｂは、図示はしていないが、バンド本体５２ａを挿通させるバンド挿通孔と、バンド挿通孔を挿通したバンド本体５２ａ上の係止溝に係合してバンド本体５２ａの抜けを防止する係止爪とを有している。
【００３５】
結束バンド５２は、図６に示すように、ワイヤハーネスの外周に巻き付けたバンド本体５２ａの先端を、上面部ハーネス装着部１１上に突設されたバンド取付け部５３の図示せぬ孔部に挿通させた後、バンド係止部５２ｂに係止させることで、ワイヤハーネスをバンド取付け部５３に締結・固定する。
【００３６】
複数の上面部機器装着部１２は、図３に示した電子回路機器２５，２６，２７を配置するために、電装部品装着板１の装着板上面１ａに形成された載置面である。
【００３７】
下面部ハーネス装着部１４は、本実施形態の場合は、ワイヤハーネス２１，２２の一端部２１ａ，２２ａを所定の配索形状に位置決め可能に、装着板下面１ｂに形成される。装着板下面１ｂは、電装部品装着板１をシート下部スペースに取り付けた状態で、車両の床側に露出状態となる電装部品装着板１の下面である。
【００３８】
連絡通路部１５は、上面部ハーネス装着部１１に配索されたワイヤハーネス２１，２２の一端部２１ａ，２２ａを前記下面部ハーネス装着部１４に引き込み可能に装着板上面１ａ側と装着板下面１ｂとを連絡させる通路で、図８に示すように、外周の一側を開放した溝状に形成されている。
【００３９】
本実施形態の場合、連絡通路部１５は、溝の開放部が装着板の板厚方向（図８では、矢印Ｙ１方向）と直交する水平方向（図８では、矢印Ｘ１の方向）に臨む横断面形状がコ字状の形状に形成することで、ワイヤハーネスが下方に垂れることを防止する載置壁部１５ａが備えられている。なお、連絡通路部１５は、横断面形状がＵ字形状であってもよい。
【００４０】
本実施形態の場合、ワイヤハーネス２１，２２は、図３〜図５に示すように、上面部ハーネス装着部１１への位置決め固定を済ませた後、図７及び図８に示すように、一端部２１ａ，２２ａを連絡通路部１５に挿通させて、一端部２１ａ，２２ａを装着板下面１ｂ側に引き込む。
【００４１】
図２に示すワイヤハーネス２１，２２の一端部２１ａ，２２ａ側において、破線で示した区間Ａ１の部位は、装着板下面１ｂ側に配索される部位である。
【００４２】
装着板下面１ｂ側に引き込んだワイヤハーネス２１，２２の一端部２１ａ，２２ａは、下面部ハーネス装着部１４に位置決め固定する。
【００４３】
以上に説明した一実施形態の電装部品装着板１では、部品装着部１０として、装着板上面１ａに形成される上面部ハーネス装着部１１と、装着板下面１ｂに形成される下面部ハーネス装着部１４とを備え、更に、上面部ハーネス装着部１１に配索されたワイヤハーネス２１，２２，２３を下面部ハーネス装着部１４に引き込み可能に装着板上面１ａ側と装着板下面１ｂとを連絡させる連絡通路部１５を有している。
【００４４】
従って、装着板上面１ａの上面部ハーネス装着部１１に配索したワイヤハーネス２１，２２，２３は、その一部である一端部２１ａ，２２ａを、連絡通路部１５を介して、装着板下面１ｂの下面部ハーネス装着部１４に引き出しておくことができ、車両のシート下部スペースにおけるワイヤハーネスの配索自由度を高めることができる。
【００４５】
そして、下面部ハーネス装着部１４に引き出されたワイヤハーネス２１，２２の一端部２１ａ，２２ａは、シート下面によって覆われていないため、後付で他のワイヤハーネスや電子回路機器をワイヤハーネス２１，２２に接続することが容易になる。従って、上面部ハーネス装着部１１に配索されるワイヤハーネス２１，２２，２３の内、他のワイヤハーネスや電子回路機器が後付される可能性を有するワイヤハーネス２１，２２の一端部２１ａ，２２ａは、予め、その一端部２１ａ，２２ａを下面部ハーネス装着部１４に引き出した配索形態としておくことで、他のワイヤハーネスや電子回路機器の後付にも容易に対応することができる。
【００４６】
また、以上に説明した一実施形態の電装部品装着板１では、連絡通路部１５は、外周の一側を開放した溝状で、開放部からワイヤハーネス２１，２２を割り込ませることで、簡単に連絡通路部１５にワイヤハーネス２１，２２を挿通した状態にすることができる。従って、上面部ハーネス装着部１１から下面部ハーネス装着部１４へのワイヤハーネス２１，２２の引き込み作業を容易にすることができる。
【００４７】
以上に説明した一実施形態の電装部品装着板１では、連絡通路部１５は、挿通するワイヤハーネスが下方に垂れることを防止する載置壁部１５ａを有しているため、連絡通路部１５に挿通されたワイヤハーネス２１，２２が下方に垂れることがない。即ち、ワイヤハーネス２１，２２の一端部２１ａ，２２ａが下方に垂れて、車両の床面等に設置されたシートスライド機構等のシート下の可動部にワイヤハーネス２１，２２の一端部２１ａ，２２ａが接触することを防止することができ、ワイヤハーネス２１，２２に対する保護性能を向上させることができる。
【００４８】
なお、本発明の電装部品装着板１は、前述した各実施形態に限定されるものでなく、適宜な変形、改良等が可能である。
【００４９】
例えば、上面部ハーネス装着部１１、上面部機器装着部１２、連絡通路部１５、下面部ハーネス装着部１４などの具体的な装備数や、配置等は、車種等に応じて、種々に設計変更することができる。
【符号の説明】
【００５０】
１  電装部品装着板
１ａ  装着板上面
１ｂ  装着板下面
１０  部品装着部
１１  上面部ハーネス装着部
１２  上面部機器装着部
１４  下面部ハーネス装着部
１５  連絡通路部
１５ａ  載置壁部
２０  電装部品
２１，２２，２３  ワイヤハーネス
２１ａ，２２ａ  一端部
２５，２６，２７  電子回路機器
３０  シート下部スペース
４０  シート骨格
【図１】
2012224268.tif 000003
【図２】
2012224268.tif 000004
【図３】
2012224268.tif 000005
【図４】
2012224268.tif 000006
【図５】
2012224268.tif 000007
【図６】
2012224268.tif 000008
【図７】
2012224268.tif 000009
【図８】
2012224268.tif 000010
【図９】
2012224268.tif 000011
【図１０】
2012224268.tif 000012